(57)【要約】      （修正有）【課題】長期間の利用を可能とし、入力作業の効率を向上させる表示画面保護フィルムを提供する。【解決手段】表示画面１の全面に貼着することにより接触物から表示画面１を保護する表面保護フィルム２であって、表面保護フィルム２は画面貼着面２０と外側表面２１とを有し、外側表面２１には凸部３が形成されており、凸部３は外側表面２１と接触物の間の空間を保つ。 【選択図】図１
0003174053.tif 000002
【実用新案登録請求の範囲】
【請求項１】
少なくとも表示画面（１）の全面に貼着することにより接触物（４）から表示画面（１）を保護する表面保護フィルム（２）であって、前記保護フィルム（２）は画面貼着面（２０）と外側表面（２１）とを有し、前記外側表面（２１）には凸部（３）が形成されており、前記凸部（３）は前記外側表面（２１）と前記接触物（４）の間の空間（４０）を保つことを特徴とする表示画面保護フィルム。
【請求項２】
前記表示画面（１）は四角形であり、前記表示画面（１）の四隅それぞれに、凸部（３）それぞれを少なくとも１つ設けたことを特徴とする請求項１記載の表示画面保護フィルム
【請求項３】
前記表示画面（１）がタッチパネル操作を行う電子入力機器（１０）の画面であって、
前記凸部（３）は、透明であると共にタッチパネルに表示された入力箇所（１１）に設けられたことを特徴とする請求項１記載の表示画面保護フィルム。
【請求項４】
前記表示画面（１）には入力キー（１２）が表示されており、前記タッチパネル操作はディスプレイキー入力であり、前記ディスプレイキーの入力箇所（１１）それぞれに、前記凸部（３）それぞれが設けられていることを特徴とする請求項３記載の表示画面保護フィルム。
【請求項５】
前記タッチパネル操作はスライド操作であり、スライド操作の開始位置に前記凸部（３）を設けたことにより、前記凸部（３）は入力物（５）のスライド初動に抵抗を生じさせることを特徴とする請求項３記載の表示画面保護フィルム。
【請求項６】
前記表示画面保護フィルムの厚さ(２２)は０．０５〜０．２５ｍｍであり、
前記凸部（３）の高さ（３０）がフィルム厚さ（２２）の５０〜２００％であり、前記凸部（３）の直径（３１）が１〜１０ｍｍであり、
前記凸部（３）両脇の傾斜角θは６０°以上９０°未満である
ことを特徴とする請求項１乃至５いずれかに記載の表示画面保護フィルム。
【請求項７】
前記凸部は、インクジェット印刷によって形成されてなることを特徴とする請求項６記載の表示画面保護フィルム。
【請求項８】
前記凸部は、シルク印刷によって形成されてなることを特徴とする請求項６記載の表示画面保護フィルム。
【請求項９】
ポッティング印刷により中央が凹んだ円盤状の受け皿部を形成する第一工程と前記受け皿部に紫外線硬化インクを載せ硬化させる第二工程とによって、前記凸部が形成されてなることを特徴とする請求項６記載の表示画面保護フィルム。
【考案の詳細な説明】
【技術分野】
【０００１】
この考案は、表示画面保護フィルムに関するものである。
【背景技術】
【０００２】
近年の携帯通信機器趨勢は、折りたたみ可能な電話機器から、折りたたむことが出来ずタッチパネルで操作するスマートフォンに変化しつつある。
【０００３】
表示画面と操作キーを本体内側として折りたたみ収納する折りたたみ携帯やＰＨＳの場合であると、表示画面が擦れることにより、表示が見づらくなるという問題はあまり発生しないものであった。また、操作キーも内側に収納される為、破損する可能性は低いものであった。
【０００４】
しかしながら、今日の主流となりつつあるスマートフォンにおいては、画面を外側にした状態でポケットや鞄の中に収納する為、表示画面が擦れて細かい傷が発生し、表示内容が見づらくなるという問題があった。さらに、表示画面に触れることにより機器を操作するタッチパネルも動作しなくなるという問題があった。
【０００５】
このような問題を解決する為に、スマートフォンの画面に表示画面保護フィルムとしてハードコートフィルムを貼りつける使用者が増加している。（例えば特許文献１）
【０００６】
そして、折りたたみ可能な従来のラップトップ型コンピューター（ノートパソコン）と、現在主流になりつつあるタブレット型コンピューターにおいても同様の問題があった。
【０００７】
ところが、表示画面保護フィルムを貼り付けたとしても、スマートフォンやタブレット型コンピューターの表示画面側を下向きにして机や床などに置いた場合や、スマートフォン上に本などを置載した場合には、表示画面保護フィルムそのものに細かいキズが発生し、長期間利用できないものであった。
【０００８】
また、スマートフォンやタブレット型コンピューターは、表示されているキーを押した感覚が薄く、入力作業の効率が悪いものであった。
【先行技術文献】
【特許文献】
【０００９】
【特許文献１】特開２０１１−１８３６４４号公報
【考案の概要】
【考案が解決しようとする課題】
【００１０】
この考案が解決しようとする課題は、長期間の利用を可能とし入力作業の効率を向上させる表示画面保護フィルムを提供することを課題とする。
【課題を解決するための手段】
【００１１】
（請求項１記載の考案）
請求項１記載の表示画面保護フィルムは、少なくとも表示画面の全面に貼着することにより接触物から表示画面を保護する保護フィルムであって、前記保護フィルムは画面貼着面と外側表面とを有し、前記外側表面には凸部が形成されており、前記凸部は前記外側表面と前記接触物の間の空間を保つことを特徴とする。
（請求項２記載の考案）
請求項１に従属する請求項２記載の表示画面保護フィルムは、前記表示画面が四角形であり、前記表示画面の四隅それぞれに、凸部それぞれを少なくとも１つ設けたことを特徴とする。
（請求項３記載の考案）
請求項１に従属する請求項３記載の表示画面保護フィルムは、前記表示画面がタッチパネル操作を行う電子入力機器の画面であって、前記凸部が透明であると共にタッチパネルに表示された入力箇所に設けられたことを特徴とする。
【００１２】
（請求項４記載の考案）
請求項３に従属する請求項４記載の表示画面保護フィルムは、前記表示画面には入力キーが表示されており、前記タッチパネル操作はディスプレイキー入力であり、前記ディスプレイキーの入力箇所それぞれに、前記凸部それぞれが設けられていることを特徴とする。
（請求項５記載の考案）
請求項３に従属する請求項５記載の表示画面保護フィルムは、前記タッチパネル操作がスライド操作であり、スライド操作の開始位置に前記凸部を設けたことにより、前記凸部は入力物のスライド初動に抵抗を生じさせることを特徴とする。
（請求項６記載の考案）
請求項１乃至５いずれかに従属する請求項６記載の表示画面保護フィルムは、前記表示画面保護フィルムの厚さが０．０５〜０．２５ｍｍであり、前記凸部の高さがフィルム厚さの５０〜２００％であり、前記凸部の直径が１〜１０ｍｍであり、前記凸部両脇の傾斜角θは６０°以上９０°未満であることを特徴とする。
【００１３】
（請求項７記載の考案）
請求項６に従属する請求項７記載の表示画面保護フィルムは、前記凸部を、インクジェット印刷によって形成されてなることを特徴とする。
（請求項８記載の考案）
請求項６に従属する請求項７記載の表示画面保護フィルムは、前記凸部をシルク印刷によって形成されてなることを特徴とする。
（請求項９記載の考案）
請求項６に従属する請求項９記載の表示画面保護フィルムは、ポッティング印刷により中央が凹んだ円盤状の受け皿部を形成する第一工程と前記受け皿部に紫外線硬化インクを載せ硬化させる第二工程とによって、前記凸部を形成されてなることを特徴とする。
【考案の効果】
【００１４】
（請求項１記載の考案の効果）
請求項１のように、凸部を設けると、机や床や本などの接触物平面に対し、凸部のみで接触することにより、画面保護フィルムの外側表面が擦れにくいものとなる。例えば、少なくとも３箇所以上の点凸部は、２箇所の線凸部とすることにより、画面と接触物平面の隅間は保たれる。
（請求項２記載の考案の効果）
表示画面は、四角形であることが多いので、凸部の設置位置は、四隅とするのが好ましい。
（請求項３記載の考案の効果）
凸部をタッチパネルの入力位置に設けると、タッチパネルに表示されたボタンの入力が簡単となる。これは指先に触れた凸部がテコの原理で反応を向上させるスナップ効果に基づくものである。
また、タッチパネル平面を触る感覚のみでは、入力したか否かを感じ取ることが困難であったが、その問題を解決することができた。
さらに当業者において以外なことに表示部分に凸部を設けたとしても、画面が見づらく
なるという悪影響は軽微であった。
【００１５】
（請求項４記載の考案の効果）
操作画面に表示されるディスプレイキーの位置に合わせて、前記凸部を設けると、入力感触が分かりやすくなると共に凸部を視認しつつ指を動かすことが可能となり、高速で文字入力などができるようになった。
（請求項５記載の考案の効果）
スライド操作可能なタッチパネル入力において、スライド開始位置の凸部が指やタブレットペンなどのスライド入力物とひっかかり、その反動でスライド操作が容易になるという意外な効果があった。
（請求項６記載の考案の効果）
冠球状または円錐台形状やその組み合わせの形状であると、凸部がテコの原理で反応を向上させるスナップ効果がさらに向上する。
【００１６】
（請求項７〜９記載の考案の効果）
本考案の凸部は、インクジェット印刷、シルク印刷、ポッティング印刷によって形成されているのが好ましい。
【図面の簡単な説明】
【００１７】
【図１】図１は表面保護フィルムと電子入力機器の全体斜視図である。
【図２】図２は表面保護フィルムと電子入力機器の正面図である。
【図３】図３は表面保護フィルムと電子入力機器の側面図である。
【図４】図４は表面保護フィルムと入力画面の正面図である。
【図５】図５は表面保護フィルムと入力画面の正面図である。
【図６】図６は冠球状凸部と表面保護フィルムの断面拡大図である。
【図７】図７は円錐台形状凸部と表面保護フォルムの断面拡大図である。
【図８】図８は組み合わせ凸部と表面保護フィルムの断面拡大図である。
【図９】図９は表面保護フィルムの別実施態様１の正面図である。
【図１０】図１０は表面保護フィルムの別実施態様２の正面図である。
【図１１】図１１は表面保護フィルムの別実施態様３の正面図である。
【図１２】図１２は表面保護フィルムの別実施態様４の正面図である。
【図１３】図１３は表面保護フィルムの別実施態様５の正面図である。
【図１４】図１４は表面保護フィルムの別実施態様６の正面図である。
【考案を実施するための形態】
【００１８】
以下、この考案の実施の形態を実施例および図面を参照して説明する。
【実施例１】
【００１９】
〔１．表面保護フィルム２および電子入力機器１０の使用態様について〕
図１は表面保護フィルム２と電子入力機器１０の全体斜視図である。
図１に示すように、表面保護フィルム２は、電子入力機器１０の表示画面１を保護し、交換が困難な表示画面１の表面に予め設置するものである。
表面保護フィルム２は、画面光の紫外線カット、目の疲労軽減、視野角を限定し覗き見防止する目的においても用いることができる。
表面保護フィルム２は、図１に示すように、画面貼着面２０と外側表面２１を有する。この外側表面２１には凸部３が形成されている。
【００２０】
この画面貼着面２０が、表示画面１に貼着したものを図２および図３に示す。図２は表面保護フィルム２と電子入力機器１０の正面図であり、図３は表面保護フィルム２と電子入力機器１０の側面図である。
電子入力機器１０がスイッチ６や通話用のスピーカー６１を有する場合、スイッチ６の操作感覚を妨げないようにスイッチ孔６０や、スピーカー６１から発生する通話音などを妨げないスピーカー孔６２や、マイク孔などを設けることもできる。
【００２１】
〔２．外側表面２１の保護を可能とする凸部３について〕
凸部３は、例えば図１〜３に示すように、四角形の表示画面１に対応する表面保護フィルム２の４隅に設置することができる。
凸部３を設置すると、図３に示すように、電子入力機器１０の表示画面１を接触物４の平面に置く場合であったとしても、凸部３は接触物４の平面と外側表面２１との間に空間４０を作成する。例えば、画面側を下に向けた状態で、スマートフォンなどを机の上へ置いた場合であっても、画面側表面と机表面との間には空間４０が生じて保たれる。
これによって、表面保護フィルム２の外側表面２１は、擦り傷などが発生しにくいものとなる。その結果、長期間利用可能な表面保護フィルム２となる。
【００２２】
〔３．タッチパネル操作に対応する凸部３の設置について〕
図４は表面保護フィルム２と入力画面の正面図であり、図５は表面保護フィルム２と入力画面の正面図である。
前記表示画面１がタッチパネル操作を行う電子入力機器１０の画面である場合、図４に示すように、タッチパネルの入力箇所１１に対応させて凸部３を設置する。
【００２３】
図４および図５に示すように、タッチパネル上に入力キー１２が表示されている場合、表示された入力キー１２それぞれに対応して、凸部３を設置する。
タッチパネル画面上に凸部３を設ける場合は、凸部３に透明樹脂を用いるのが好ましい。また凸部３は入力キー１２の形状に合わせて長形凸部や異形凸部とすることができる。
【００２４】
タッチパネル画面上に透明樹脂の凸部３を設けると次のような効果を生じる。メールＷＥＢ検索などでも文字入力において、透明凸部３に合わせて入力しようとすると、使用者は自然と入力物５である指が凸部３に向かって移動し、これによって使用者の入力操作が向上する。タッチパネル画面上で操作を行う際、凸部３に入力物５である指先が一旦触れ、少し溜め動作が発生した後、パネル操作に反応することにより、指先でのスナップ効果が生まれ、その結果ページ繰り反応が向上する。ページ繰り反応が向上すると、タッチパネルのスライド入力が非常に行い易くなる。
【００２５】
〔４．表示画面１について〕
前述の通り、表示画面１はタッチパネル画面が好ましい。タッチパネル画面の方式として、マトリクス・スイッチ方式、抵抗膜方式、表面弾性波方式、赤外線方式、電磁誘導方式、表面型静電容量方式、投影型静電容量方式を例示することができる。凸部３との相性が良い、静電容量方式のタッチパネル画面とするのが好ましい。
特に、タブレット端末やスマートフォンに多く採用され多点検出が可能な投影型静電容量方式タッチパネルを採用するのが好ましい。
【００２６】
〔５．表面保護フィルム２と凸部３の対応関係〕
凸部３として、冠球状凸部３２、円錐台形状凸部３３、組み合わせ凸部３４などを例示することができる。
図６は冠球状凸部３２と表面保護フィルム２の断面拡大図である。図７は円錐台形状凸部３３と表面保護フィルム２の断面拡大図である。図８は組み合わせ凸部３４と表面保護フィルムの断面拡大図である。
図６〜８に示すように、凸部３は、底面が円形の場合、高さ３０、直径３１、両脇の傾斜角θで定義付けられる。
【００２７】
図６〜８に示すように、表面保護フィルム２は、フィルム厚さ２２で設計されており、外側層２３、中層２４、画面側層２５の３層構成とすることができる。フィルム厚さ２２は、０．０５〜０．２５ｍｍとするのが好ましい。
前述のフィルム厚さ２２に対応して、高さ３０はフィルム厚さ２２の５０〜２００％、直径３１が１〜１０ｍｍ、傾斜角θは６０°以上９０°未満とすることができる。
画面保護フィルムの厚さは０．０５〜０．１５ｍｍとし、前記凸部の高さがフィルム厚さの５０〜１２５％とすることもできる。
θが６０°以上９０°未満であると、テコの原理により力が増幅された状態で、タッチパネル入力をすることとなり、スナップ効果がより一層発揮され、タッチパネルの操作性が向上する。
【００２８】
〔６．表面保護フィルム２と凸部３の材料について〕
表面保護フィルム２外側層２３、中層２４、画面側層２５の３層の材料および凸部３の材料について説明する。
表面保護フィルム２には、パナック株式会社製の製品名「ＰＸ１２５ＡＦＰ」を用いた。その結果、「外側層２３はハードコート層１〜２％であり、中層２４はポリエチレンテレフタレート層８８〜９３％であり、画面側層２５はシリコーン系共重合体６〜１０％（重量％）」の３層であった。
ＰＸ１２５ＡＦＰは、印刷可能なフィルムである。印刷可能フィルムは、汚れやすいという欠点を有するものの、凸部３によってキズやヨゴレが発生しにくい本考案には採用できるものであった。
凸部３の材料は紫外線硬化型インクを用い、凸部３は印刷技術によって形成されるものである。紫外線硬化型インクとして紫外線硬化型アクリル樹脂や、紫外線硬化型ウレタン樹脂を例示することができる。特にウレタンアクリレート系紫外線硬化型インクを用いるのが好ましい。
【００２９】
〔７．凸部３の製造方法〕
凸部３は、インクジェット印刷によって形成することが出来る。図６に示すように、印刷１回目の層３２０、印刷２回目の層３２１、印刷３回目の層３２２、印刷４回目の層３２３、印刷５回目の層３２４、印刷６回目の層３２５といった順序で、徐々に盛り上がらせることにより凸部３（図面においては冠球状凸部３２）を形成することができる。印刷の回数は５回〜１０回とするのが好ましい。
インクジェット印刷に用いる紫外線硬化型インクには、株式会社ミマキアンジニアリング社製の「ＵＶｉｎｋ  ＬＨ−１００  Ｃｌｅａｒ  Ｌｉｑｕｉｄ」を用いた。
このインクは、硬質な紫外線硬化型インクであり「アクリル酸エステル４０〜６０％、ニアクリル酸ヘキサメチレン３０〜３５％、開始剤１０〜１５％、カーボンブラック０．１〜５％、添加剤０．１〜５％（重量％）」の混合物である。
【００３０】
他にも、紫外線硬化型インクを用いて、シルク印刷や、スクリーン印刷の厚塗りにより、凸部３を外側表面２１上に形成することができる。シルク印刷は複数回行なうこともできる。
また、凸部３をポッティング印刷により形成することもできる。
図７又は図８に示すように、第一工程の印刷により、円盤状受け皿部３４０またはドーナツ状受け皿部３３０を形成する。第二工程の印刷により、これらの受け皿部３３０、３４０の中央に紫外線硬化インクを受け止めさせ、樹脂盛部３３、３４を形成する。
上述の第一工程および第二工程には、帝国インキ製造株式会社の「ＵＶ  ＰＯＴ  ５０２０９  点字クリアー」を用いた。
このインクは、硬質な紫外線硬化型インクであり「ウレタンアクリレート９０．０〜１００．０％、光開始剤１．０〜１０．０％、補助剤１．０〜１０．０％（重量％）」であった。
【産業上の利用可能性】
【００３１】
本件考案は、実施例１および図１〜５に記載の凸部３の配置のみではなく、タブレット端末およびスマートフォンの入力箇所の配列に合わせて、凸部３を配置することができる。その例として、図９〜図１４を示す。
図９に示すように、画面全体に均等に、凸部３を配列しても良い。
図１０に示すように、長形凸部３５や異径凸部３６を設けても良い。
図１１に示すように、画面四隅に異径凸部３６を設けても良い。
図１２に示すように、横長キーボード配置に合わせて、凸部３や長形凸部３５を設けても良い。
図１３に示すように、重心付近に凸部３を設けてもよい。
図１４に示すように、大量に凸部３を設けてもよい。
【符号の説明】
【００３２】
１    表示画面
１０  電子入力機器
１１  入力箇所
２    保護フィルム
３    凸部
【図１】
0003174053.tif 000003
【図２】
0003174053.tif 000004
【図３】
0003174053.tif 000005
【図４】
0003174053.tif 000006
【図５】
0003174053.tif 000007
【図６】
0003174053.tif 000008
【図７】
0003174053.tif 000009
【図８】
0003174053.tif 000010
【図９】
0003174053.tif 000011
【図１０】
0003174053.tif 000012
【図１１】
0003174053.tif 000013
【図１２】
0003174053.tif 000014
【図１３】
0003174053.tif 000015
【図１４】
0003174053.tif 000016